(57)【要約】【課題】  特に遊技装置等に設置されている紙幣搬送ガイドにおいて、紙幣処理装置の背面とインナーガイドとの隙間をなくし、紙幣が紙幣処理装置の背面とインナーガイドとの間に詰まるのを防止することを目的とする紙幣搬送ガイドを提供する。【解決手段】  インナーガイド３は、ガイドベース２に進退可能に取り付けられており、ガイドベース２とインナーガイド３との間には、板ばね９によって先端方向に付勢されている。これにより、インナーガイド３が紙幣処理装置３７の背面と当接するためインナーガイド３と紙幣処理装置３７との隙間をなくすことができ、紙幣処理装置３７の背面の搬出口３６の違いや、紙幣処理装置３７に挿入された紙幣の状態によって紙幣が詰まることを防止することができる。【選択図】  図７
2006011821.tif 000002
【特許請求の範囲】
【請求項１】
遊技装置の島に設けられた玉貸し機の紙幣処理装置に投入された紙幣を、前記島内の前記紙幣処理装置の背面側に設置された紙幣搬送装置の搬送部へ導くための紙幣搬送ガイドにおいて、
前記玉貸し機の玉貸し機枠に対して固定され、前記搬送部につながるスロット状の札出しガイドに対向するように開口した開口部を有するガイドベースと、
前記ガイドベースに対して紙幣の搬送方向に進退可能に取り付けられ、前記紙幣処理装置の紙幣搬送路に連通して前記紙幣の搬送方向に延びる紙幣通路を備えた本体を有し、前記本体の一端側開口部が前記紙幣処理装置の背面に着脱可能に当接し、前記本体の他端が前記ガイドベースの前記開口部を貫通するインナーガイドと、
前記ガイドベースの背面側に固定され、前記紙幣の搬送方向に延びる第２の紙幣通路を備えたガイド本体を有し、前記ガイド本体の一端側開口部が前記インナーガイドの後端部を収容し、前記ガイド本体の他端が前記札出しガイドに挿通されたアウターガイドと、
を備えたことを特徴とする紙幣搬送ガイド。
【請求項２】
さらに、前記インナーガイドと前記ガイドベースとの間に、前記インナーガイドを前記紙幣搬送装置側に付勢して、前記本体の一端側を前記紙幣処理装置の背面に弾性的に押し付ける付勢部材を備えたことを特徴とする請求項１記載の紙幣搬送ガイド。
【請求項３】
前記アウターガイドは、前記ガイドベース側へ向けて開口部が大きくなるテーパ面を有し、前記インナーガイドの後退位置においても、前記インナーガイドの後端と前記テーパ面との間に所定の間隔を保持できるように構成されたことを特徴とする請求項２記載の紙幣搬送ガイド。
【請求項４】
前記付勢部材は、前記インナーガイドと前記ガイドベースとの間に介装された板ばねからなることを特徴とする請求項２記載の紙幣搬送ガイド。
【請求項５】
前記板ばねが、前記インナーガイドに一体成形されたことを特徴とする請求項４記載の紙幣搬送ガイド。
【発明の詳細な説明】
【技術分野】
【０００１】
本発明は、紙幣の搬送をガイドする紙幣搬送ガイドに関し、特に遊技装置等の台間玉貸し機に設置されて使用されるのに好適であり、紙幣処理装置で処理された紙幣をその背面側に設置された紙幣搬送装置へ導くための紙幣搬送ガイドに関する。
【背景技術】
【０００２】
一般に、パチンコ装置等の遊技装置の接客面には、パチンコ玉等の遊技媒体を貸し出す際に遊技者が挿入した紙幣の種別や真贋を識別するための紙幣処理装置が設置されている。この紙幣処理装置は、例えば島内で隣接する遊技装置の間に設置された台間玉貸し機に装着され、遊技者によって挿入口から紙幣が挿入されると、所定の判断基準でその紙幣の真贋を識別する。このとき真券と判定されたものについては、紙幣処理装置の背面側に設置された紙幣搬送装置により、例えば島の端部領域に設けられた金庫に収容される。
【０００３】
このとき、台間玉貸し機が連動し、その紙幣の額に相当する遊技媒体を排出して遊技者に提供する。そして、真券と判定されて外部金庫に収容された紙幣については、例えば遊技場の店員が、その紙幣を回収する。一方、偽札であると判定された紙幣については、内部の紙幣搬送機構が逆転動作させてその紙幣を挿入口から排出して返却する（例えば、特許文献１参照。）。
【０００４】
このような遊技装置においては、紙幣処理装置から紙幣搬送装置に紙幣を送る過程でその紙幣の流れをガイドするための紙幣搬送ガイドが設けられている。
図１０は、このような遊技装置の台間玉貸し機の周辺を部分的に切り欠いた状態を表す側面図であり、図１１は、図１０の上方から見た部分切欠き断面図であり、図１２は、図１１のＡ部詳細を表す拡大図である。
【０００５】
図１０に示すように、この遊技装置には、台間玉貸し機の内部に設けられた紙幣処理装置１００と、紙幣処理装置１００の背部に設けられた紙幣搬送装置１０５とを備えており、その紙幣処理装置１００と紙幣搬送装置１０５との間には、紙幣処理装置１００から送出された紙幣を紙幣搬送装置１０５へガイドするための搬送ガイド部が設けられている。この搬送ガイド部は、紙幣搬送装置１００の内部の搬送部から延出した札出しガイド１０４と、札出しガイド１０４と紙幣処理装置１００とを連結して紙幣をガイドする紙幣搬送ガイドとから構成されている。
【０００６】
図１１に示すように、紙幣処理装置１００は、紙幣搬送路１０６を有しており、その紙幣処理装置１００の後部には、紙幣搬送路１０６に連通するインナーガイド１０３が設けられている。このインナーガイド１０３は、玉貸し機枠に装着されたガイドベース１０２に開けられた開口部に貫通するように取り付けられている。インナーガイド１０３は、筒状の本体の内部に紙幣通路が形成されており、その本体の先端部には、前方に広がるように傾斜が付けられたテーパ部１０７が形成されている。そして、インナーガイド１０３の後端部は、スロット状の開口部を有する札出しガイド１０４に挿通されている。
【０００７】
図１２に示すように、インナーガイド１０３と紙幣処理装置１００の背面との間には、一定の隙間１０８が設けられており、紙幣処理装置１００を玉貸し機に取り付ける時に、インナーガイド１０３と紙幣処理装置１００の背面とが干渉することが防止されている。
【０００８】
以上の構成において、挿入口から挿入された紙幣は、紙幣処理装置１００の背面の搬出口から搬出され、インナーガイド１０３及び札出しガイド１０４を通って紙幣搬送装置１０５に搬送されて一時保留された後、遊技装置の島の端部領域に設けられた金庫に収容される。
【特許文献１】特開平８−４０５９６号公報
【発明の開示】
【発明が解決しようとする課題】
【０００９】
しかしながら、上記のように、紙幣処理装置１００とインナーガイド１０３との間に一定の隙間が設けられているため、紙幣処理装置１００の背面の搬出口の形状によっては、紙幣が引っかかったり、また、紙幣処理装置１００に挿入された紙幣の状態によっても詰まりが発生する場合があるという問題点があった。
【００１０】
本発明は、このような点に鑑みてなされたものであり、紙幣が紙幣処理装置１００の背面とインナーガイド１０３との間に詰まるのを防止して、紙幣をスムーズにガイドする紙幣搬送ガイドを提供することを目的とする。
【課題を解決するための手段】
【００１１】
本発明では上記問題を解決するために、遊技装置の島に設けられた玉貸し機の紙幣処理装置に投入された紙幣を、前記島内の前記紙幣処理装置の背面側に設置された紙幣搬送装置の搬送部へ導くための紙幣搬送ガイドにおいて、前記玉貸し機の玉貸し機枠に対して固定され、前記搬送部につながるスロット状の札出しガイドに対向するように開口した開口部を有するガイドベースと、前記ガイドベースに対して紙幣の搬送方向に進退可能に取り付けられ、前記紙幣処理装置の紙幣搬送路に連通して紙幣の搬送方向に延びる紙幣通路を備えた本体を有し、前記本体の一端側開口部が前記紙幣処理装置の背面に着脱可能に当接し、前記本体の他端が前記ガイドベースの前記開口部を貫通するインナーガイドと、前記ガイドベースの背面側に固定され、紙幣の搬送方向に延びる第２の紙幣通路を備えたガイド本体を有し、前記ガイド本体の一端側開口部が前記インナーガイドの後端部を収容し、前記ガイド本体の他端が前記札出しガイドに挿通されたアウターガイドと、を備えたことを特徴とする紙幣搬送ガイドが提供される。
【００１２】
このような紙幣搬送ガイドによれば、紙幣搬送方向に延びる紙幣通路を備えたインナーガイドの一端側開口部が、紙幣処理装置の背面に着脱可能に当接することにより、インナーガイドと紙幣処理装置との間の隙間をなくし、紙幣の詰まりを防止する。その際、インナーガイドが紙幣の搬送方向に進退可能であるため、紙幣処理装置を取り付ける際の障害になることもない。
【００１３】
そして、アウターガイドの一端側開口部がインナーガイドの後端部を収容し、他端が札出しガイドに挿通されるように構成することにより、インナーガイドの札出しガイドへの組付誤差を吸収できるとともに、インナーガイドから札出しガイドに紙幣をスムーズに導くことができる。
【発明の効果】
【００１４】
本発明の紙幣搬送ガイドによれば、インナーガイドの一端側が紙幣処理装置の背面に着脱可能に当接して、紙幣処理装置とインナーガイドとの隙間をなくして紙幣の詰まりを防止する。また、インナーガイドの他端側がアウターガイドを介して紙幣搬送装置に無理なく連結される。その結果、紙幣の搬送をスムーズにできるという利点がある。
【発明を実施するための最良の形態】
【００１５】
以下、本発明の実施の形態を、図面を参照して詳細に説明する。
図１は、紙幣搬送ガイドを玉貸し機枠に組みつけた遊技装置の内部の状態を表す斜視図であり、図２は、この紙幣搬送ガイドの斜視図である。
【００１６】
図１に示すように、この遊技装置の台間玉貸し機の内部には、後述する紙幣処理装置と紙幣搬送装置５との間に搬送ガイド部が設けられる。この搬送ガイド部は、紙幣搬送装置５の搬送部から延出したスロット状の札出しガイド４と、札出しガイド４と紙幣処理装置とを連結して紙幣をガイドする紙幣搬送ガイド１とから構成されている。
【００１７】
この紙幣搬送ガイド１は、ねじ７，８を介して玉貸し機枠６に固定されるガイドベース２と、このガイドベース２に取り付けられるインナーガイド３とを備えている。そして、インナーガイド３の後端部は、札出しガイド４に挿通されている。
【００１８】
図２に示すように、ガイドベース２は、長方形状の本体を有し、その本体の中央部にインナーガイド３を進退可能に挿通させるための開口部を有している。また、ガイドベース２の本体の上端部と下端部には、前方に延出するフランジ状の支持部１１，１２が形成されており、ガイドベース２に対して挿通されたインナーガイド３を上下方向から支持するように構成されている。また、ガイドベース２には、インナーガイド３の左側側面を紙幣の搬送方向にガイドするガイド金具１３が設けられており、ガイドベース２とインナーガイド３との間には、インナーガイド３をガイドベース２から離れる方向に付勢する板ばね９が介装されている。また、ガイドベース２の背面には、インナーガイド３を通過する紙幣を札出しガイド４に導くためのアウターガイド１０が設けられている。
【００１９】
図３は、インナーガイド単体の構成を示した図であり、（Ａ）はその平面図であり、（Ｂ）は底面図であり、（Ｃ）は右側面図であり、（Ｄ）は前面図であり、（Ｅ）は左側面図である。
【００２０】
インナーガイド３は、図３（Ａ）〜（Ｄ）に示すように、長尺状の金属板をその長手方向中央部の２ヶ所と一端で折り曲げて形成された筒状の本体１６を有する。この本体１６の左右両側面の前端縁から前方に延出した一対の側壁１６ａ，１６ｂが設けられている。このうち、右側の側壁１６ａは、本体１６に対して外側に向かって傾斜しており、これら側壁１６ａ，１６ｂによって形成される紙幣の導入部がテーパ状に形成されている。また、側壁１６ａ，１６ｂの先端には、それぞれ外向きに（互いに逆方向に）延びるフランジ部が設けられ、これらのフランジ部が、後述する紙幣処理装置の背面に当接する当接部１４，１５を形成している。さらに、図３（Ｅ）に示すように、本体１６の左側面の上端部近傍と下端部近傍には、それぞれ長方形状の角孔１４ａが形成されており、各角孔１４ａの後縁側の一辺に沿って内側から外側に半円状に押し出された突出部１７，１８が設けられている。
【００２１】
図４は、インナーガイドをガイドベースに取り付けるためのガイド金具を示す図であり、（Ａ）はその前面図であり、（Ｂ）は左側面図である。
ガイド金具１３は、図４（Ｂ）に示すように、長方形板状の本体を有し、その本体の後端縁の上下方向中央部には凹部１３ａが形成されており、その凹部１３ａの縁部に沿って、本体に対してほぼ直角に延出した台座１９が設けられている。この台座１９は、ガイドベース２に接合される部分である。さらに、この本体の台座１９を挟んだ両側には、上述したインナーガイド３の突出部１７，１８をそれぞれ挿通可能な角孔２０，２１が設けられている。
【００２２】
図５は、板ばねの部品図である。
板ばね９は、図５に示すように、金属板からなる本体を有し、上述したガイド金具１３の台座１９に接合される長方形状の本体結合部２２と、その長手方向の両端にそれぞれ連設されたＬ字状の接合部２３，２４とを備えている。これら接合部２３，２４は、本体結合部２２の片側面側に所定の角度で傾斜するように設けられている。
【００２３】
図６は、アウターガイドの構成部品であるアウターガイド片を示す図であり、（Ａ）はその平面図であり、（Ｂ）は背面図であり、（Ｃ）は右側面図である。
アウターガイド片３１は、図６（Ａ）及び（Ｂ）に示すように、長方形状の金属板を長手方向に直角な方向の数ヶ所で折り曲げて形成されている。このアウターガイド片３１は、紙幣搬送方向に平行に延びて後述する紙幣通路を形成する側壁部２８と、この側壁部２８の前端縁に連設されて外側に傾斜するテーパ部２７と、このテーパ部２７の前端縁に連設され、紙幣搬送方向と直角な方向に延びてガイドベース２の背面に接合される接合部２９とからなる。図６（Ａ）及び（Ｃ）に示すように、アウターガイド片３１の側壁部２８には、その長手方向の一端から紙幣搬送路側に直角方向に折り曲げられた鍔部３０が設けられている。そして、図２で示したアウターガイド１０は、このアウターガイド片３１を２つ用意し、互いに上下逆向きに組み合わせることにより構成される。
【００２４】
図７は、図１のＡ−Ａ線に沿う断面図であり、紙幣処理装置を玉貸し機に組み付けた状態を示すものである。
図７に示すように、玉貸し機に組み付けられた紙幣処理装置３７の背面には、インナーガイド３が配置される。このインナーガイド３は、玉貸し機枠に固定されたガイドベース２の開口部を貫通し、ガイドベース２に接合されたガイド金具１３に沿って進退可能に配置される。インナーガイド３の背面にはアウターガイド１０が配置され、このアウターガイド１０は、ガイドベース２の背面に固定される。また、インナーガイド３の当接部１４，１５は、ガイドベース２とインナーガイド３の間に設けられた板ばね９により付勢され、紙幣処理装置３７の背面に当接する。この板ばね９は、その本体結合部２２が、ガイドベース２に接合されたガイド金具１３の台座１９に固定される。板ばね９は、その接合部２３，２４の先端がインナーガイド３の当接部１４の裏側に接合されており、このインナーガイド３を前方方向に向かって付勢する。インナーガイド３の内部に形成された紙幣通路３５は、紙幣処理装置３７の紙幣の搬出口３６に連通するように設けられている。また、インナーガイド３の片側先端部に搬出口３６へ向かって広がるように設けられたテーパ部により、搬出口３６から搬出された紙幣をスムーズにインナーガイド３に導くことができるようになっている。
【００２５】
アウターガイド１０の先端部には、両側がインナーガイド３の後端部３４に向かって広がるように傾斜したテーパ部３３が設けられており、インナーガイド３の後端部３４を収容し、インナーガイド３から搬出された紙幣をスムーズに札出しガイド４へ導けるようになっている。このアウターガイド１０の紙幣通路３２は、札出しガイド４内部の紙幣通路に連通している。
【００２６】
図８及び図９は、紙幣処理装置を玉貸し機に取り付ける際の紙幣搬送ガイドの動作を表す説明図であり、その紙幣搬送ガイドを側方から見た状態を表す図である。
図８は、紙幣処理装置３７の取り付け前の紙幣搬送ガイド１の状態を示している。
【００２７】
図８に示すように、インナーガイド３は、板ばね９によって前方に付勢されて変位しているが、上述した突出部１７，１８がガイド金具１３の角孔２０，２１にそれぞれ挿通されて係止されるため、前方への脱落が防止されている。
【００２８】
図９は、紙幣処理装置３７が設置されて、紙幣搬送ガイド１が紙幣処理装置３７の背面に当接した状態を示している。
図９に示すように、板ばね９がインナーガイド３を紙幣処理装置３７側に付勢することにより、紙幣処理装置３７の背面にインナーガイド３の当接部１４が当接している。このとき、インナーガイド３は、紙幣処理装置３７の挿入により前方から押圧され、その突出部１７，１８が角孔２０，２１に係止された状態が解除される。尚、このようにインナーガイド３が後退した状態においても、そのインナーガイド３の後端とアウターガイド１０の開口部のテーパ面との間には所定の間隔が保持されているため、紙幣処理装置３７を組み付ける際の障害となることはない。
【００２９】
以上、説明したように、紙幣搬送ガイド１においては、ガイドベース２に対してインナーガイド３が進退可能に取り付けられており、板ばね９がガイドベース２とインナーガイド３の間に介装されていることによってインナーガイド３を紙幣処理装置３７側に付勢する。その結果、インナーガイド３が紙幣処理装置３７の背面に確実に当接し、紙幣処理装置３７との隙間をなくすことできる。さらに、インナーガイド３の片側先端部に設けられたテーパ部が、紙幣処理装置３７の搬出口３６から搬出された紙幣をスムーズに導くことができる。これにより、紙幣処理装置３７の搬出口３６の形状や紙幣処理装置３７に挿入された紙幣の状態に関係なく紙幣をスムーズにガイドすることができる。
【図面の簡単な説明】
【００３０】
【図１】紙幣搬送ガイドを玉貸し機枠に組みつけた遊技装置の内部の状態を表す斜視図である。
【図２】紙幣搬送ガイドの斜視図である。
【図３】インナーガイド単体の構成を示した図であり、（Ａ）はその平面図であり、（Ｂ）は底面図であり、（Ｃ）は右側面図であり、（Ｄ）は前面図であり、（Ｅ）は左側面図である。
【図４】インナーガイドをガイドベースに取り付けるためのガイド金具を示す図であり、（Ａ）はその前面図であり、（Ｂ）は左側面図である。
【図５】板ばねの部品図である。
【図６】アウターガイドの構成部品であるアウターガイド片を示す図であり、（Ａ）はその平面図であり、（Ｂ）は背面図であり、（Ｃ）は右側面図である。
【図７】図１のＡ−Ａ線に沿う断面図であり、紙幣処理装置を玉貸し機に組み付けた状態を示すものである。
【図８】紙幣処理装置を玉貸し機に取り付ける際の紙幣搬送ガイドの動作を表す説明図であり、その紙幣搬送ガイドを側方から見た状態を表す図である。
【図９】紙幣処理装置を玉貸し機に取り付ける際の紙幣搬送ガイドの動作を表す説明図であり、その紙幣搬送ガイドを側方から見た状態を表す図である。
【図１０】遊技装置の台間玉貸し機の周辺を部分的に切り欠いた状態を表す側面図である。
【図１１】図１０の上方から見た部分切欠き断面図である。
【図１２】図１１のＡ部詳細を表す拡大図である。
【符号の説明】
【００３１】
１  紙幣搬送ガイド
２  ガイドベース
３  インナーガイド
４  札出しガイド
５  紙幣搬送装置
６  玉貸し機枠
７，８  ねじ
９   板ばね
１０  アウターガイド
１１，１２  支持部
１３  ガイド金具
１３ａ  凹部
１４，１５  当接部
１４ａ，２０，２１  角孔
１６  本体
１６ａ，１６ｂ  側壁
１７，１８  突出部
１９  台座
２２  本体結合部
２３，２４  接合部
２７，３３  テーパ部
２８  側壁部
２９  接合部
３０  鍔部
３１  アウターガイド片
３２，３５  紙幣通路
３４  後端部
３６  搬出口
３７  紙幣処理装置
【図１】
2006011821.tif 000003
【図２】
2006011821.tif 000004
【図３】
2006011821.tif 000005
【図４】
2006011821.tif 000006
【図５】
2006011821.tif 000007
【図６】
2006011821.tif 000008
【図７】
2006011821.tif 000009
【図８】
2006011821.tif 000010
【図９】
2006011821.tif 000011
【図１０】
2006011821.tif 000012
【図１１】
2006011821.tif 000013
【図１２】
2006011821.tif 000014